(57)【要約】【課題】電子的な構成部品を用いることなく食物玩具を噛む動作に同期して食べる擬音を発生するとともに、少しずつ食べ物を飲み込んでいくリアル感のある食事動作をする動作玩具を提供すること。【解決手段】食物を模した食物玩具２を食べる食事動作をする動作玩具Ａであって、該動作玩具Ａは口部１に挿入した上記食物玩具２を体内に取り込む取込装置Ｃと、食べ物を噛む動作をする噛み動作装置Ｄと、食物を噛み砕く擬音を発生する擬音発生装置Ｂとを備え、上記取込装置Ｃと噛み動作装置Ｄと擬音発生装置Ｂとは上記動作玩具Ａの一部を押し操作する度に同期して作動すること。【選択図】図１
2010088666.tif 000002
【特許請求の範囲】
【請求項１】
以下の要件を備えることを特徴とする擬音発生装置。
（イ）上記擬音発生装置は、スライド移動するスライド部材と、該スライド部材に保持され周面に面ファスナーが配設されたローラと、該ローラが当接する当接面を有し、該当接面に面ファスナーを配設した面ファスナー支持部材とを備えること
（ロ）上記スライド部材のスライド移動時には上記ローラは該ローラに配設された面ファスナーが上記面ファスナー支持部材に配設された面ファスナーに当接した状態で回転すること
【請求項２】
前記面ファスナー支持部材を箱状の共鳴ボックスで構成し、該共鳴ボックスの一つの外壁面を前記ローラの当接する当接面とし、該当接面に前記面ファスナーを配設した、請求項１記載の擬音発生装置。
【請求項３】
食物を模した食物玩具を食べる食事動作をする動作玩具であって、以下の要件を備えることを特徴とする動作玩具。
（イ）上記動作玩具は口部に挿入した上記食物玩具を噛む動作をする噛み動作装置と、食物を噛み砕く擬音を発生する擬音発生装置と、食物玩具を体内に取り込む取込装置とを備えること
（ロ）上記擬音発生装置と噛み動作装置と取込装置とは上記動作玩具の一部を押し操作する度に同期して作動すること
（ハ）上記擬音発生装置は上記動作玩具の一部を押し操作することによりスライド移動するスライド部材と、該スライド部材に保持され周面に面ファスナーが配設されたローラと、該ローラが当接する当接面を有し、該当接面に面ファスナーを配設した面ファスナー支持部材とを備え、上記スライド部材のスライド移動時には上記ローラは該ローラに配設された面ファスナーが上記面ファスナー支持部材に配設された面ファスナーに当接した状態で回転すること
【請求項４】
前記面ファスナー支持部材を箱状の共鳴ボックスで構成し、該共鳴ボックスの一つの外壁面を前記ローラの当接する当接面とし、該当接面に前記面ファスナーを配設した、請求項３記載の動作玩具。
【発明の詳細な説明】
【技術分野】
【０００１】
本発明は、擬音発生装置とその擬音発生装置を備えた動作玩具、詳しくは食物を食べる擬音を発生させる擬音発生装置と、その擬音発生装置を備えた食物玩具を食べる食事動作をする動作玩具に関するものである。
【背景技術】
【０００２】
一般に、食べ物を食べる食事動作をする玩具としては玩具の口部に配置されたスイッチやセンサで食べ物を差し込まれたことを感知し、玩具本体内に収容された音声合成ＩＣ等の音声発生装置を作動させて音声を発生させていたが、音声発生装置を作動させるためには電源が必要になり、電源としての電池を絶えず補給しなければならないため維持費がかかるとともに、電池が切れるとそのまま放置され遊びに供されなくなるのが常であったため、電源を必要とせず、簡単な構造で効果的な音声を発生することができる玩具が提案されている（例えば、特許文献１）。この玩具は食物玩具を口部から入れるとゼンマイユニットのゼンマイが巻き上げられ、食物玩具が口の内部を通過するとゼンマイが巻き戻され、その巻き戻り力で音声発生手段を作動させるとともに、下顎を上下に回動させるようにしたもので、音声が出ている間は音声の出力と同期して下顎を作動させることができるので、よりリアル感のある動作玩具を提供するようにしたものである。
【特許文献１】特開平９−１８７５７６号公報
【発明の開示】
【発明が解決しようとする課題】
【０００３】
本発明が解決しようとする問題点は、上述の玩具は食べ物を噛み砕く音をさせながら下顎が動いてリアル感があるが、食べ物を完全に飲み込まないと音声発生装置も下顎も作動しないため食べながら擬音が発生するのではなく食べ終わってから擬音が発生するのでリアル感に欠ける点があった。
【０００４】
本発明は、上記問題点を解決し、電子的な構成部品を用いることなく食物玩具を噛む動作に同期して食べる擬音を発生するとともに、少しずつ食べ物を飲み込んでいくリアル感のある食事動作をする動作玩具を提供することを課題とする。
【課題を解決するための手段】
【０００５】
前記課題を解決するために本発明に係る擬音発生装置は、以下の要件を備えることを特徴とする。
（イ）上記擬音発生装置は、スライド移動するスライド部材と、該スライド部材に保持され周面に面ファスナーが配設されたローラと、該ローラが当接する当接面を有し、該当接面に面ファスナーを配設した面ファスナー支持部材とを備えること
（ロ）上記スライド部材のスライド移動時には上記ローラは該ローラに配設された面ファスナーが上記面ファスナー支持部材に配設された面ファスナーに当接した状態で回転すること
【０００６】
なお、前記面ファスナー支持部材を箱状の共鳴ボックスで構成し、該共鳴ボックスの一つの外壁面を前記ローラの当接する当接面とし、該当接面に前記面ファスナーを配設することが好ましい。
【０００７】
また、請求項３に係る動作玩具は、食物を模した食物玩具を食べる食事動作をする動作玩具であって、以下の要件を備えることを特徴とする。
（イ）上記動作玩具は口部に挿入した上記食物玩具を噛む動作をする噛み動作装置と、食物を噛み砕く擬音を発生する擬音発生装置と、食物玩具を体内に取り込む取込装置とを備えること
（ロ）上記擬音発生装置と噛み動作装置と取込装置とは上記動作玩具の一部を押し操作する度に同期して作動すること
（ハ）上記擬音発生装置は上記動作玩具の一部を押し操作することによりスライド移動するスライド部材と、該スライド部材に保持され周面に面ファスナーが配設されたローラと、該ローラが当接する当接面を有し、該当接面に面ファスナーを配設した面ファスナー支持部材とを備え、上記スライド部材のスライド移動時には上記ローラは該ローラに配設された面ファスナーが上記面ファスナー支持部材に配設された面ファスナーに当接した状態で回転すること
【０００８】
なお、前記面ファスナー支持部材を箱状の共鳴ボックスで構成し、該共鳴ボックスの一つの外壁面を前記ローラの当接する当接面とし、該当接面に前記面ファスナーを配設することが好ましい。
【発明の効果】
【０００９】
請求項１の発明によれば、面ファスナー支持部材の面ファスナーにローラの面ファスナーは面ではなく線で当接するので、スライド部材のスライド移動はスムーズであるとともに、面ファスナー同士の係脱により擬音を発生させることができる。
【００１０】
請求項２の発明によれば、面ファスナー支持部材を箱状の共鳴ボックスで構成することにより発生した擬音が共鳴ボックス内で共鳴し、大きな擬音として発生させることができる。
【００１１】
請求項３の発明によれば、電子的な構成部品を一切用いることなく、食べ物を口にくわえさせ、腹部を押すたびに食べ物を噛み砕く音声が出力されるとともに、音声に同期して下顎が動き食べ物を徐々に飲み込んでいくリアル感のある動作玩具を提供することができる。
【００１２】
請求項４の発明によれば、面ファスナー支持部材を箱状の共鳴ボックスで構成することにより、発生した擬音が共鳴ボックス内で共鳴させることにより、動作玩具が食べ物を噛み砕く音を大きくすることができ、よりリアル感のある動作玩具を実現することができる。
【発明を実施するための最良の形態】
【００１３】
図１は、本発明に係る動作玩具の一例を示し、この動作玩具Ａは動物を模して形成されたぬいぐるみ玩具で、口部１に食物を模した食物玩具２を挿入し動作玩具Ａの一部（腹部）３を押し操作すると、押し操作をするたびに擬音発生装置Ｂが作動して食物を噛み砕く音を発生させながら噛み動作装置Ｄが作動して下顎４が上下に動いて噛み動作を行うとともに、取込装置Ｃが作動して食物玩具２を体内に徐々に取り込む食事動作をするようにしたものである。
【００１４】
擬音発生装置Ｂは、図２に示すように、左右のフレーム５ａ、５ｂの前面に開口した開口部６と左右の内壁面に形成されたガイドレール７、７にガイドされて前後にスライド可能に配置されるとともにスプリング８で前方に突出するように付勢されたスライド部材９と、このスライド部材９の軸受１０に軸部１１が支持されるとともに周面に面ファスナー１２が配設されたローラ１３と、このローラ１３の面ファスナー１２が当接する当接面に面ファスナー１４が配設された面ファスナー支持部材１５とで構成されている。
【００１５】
なお、本発明ではこの面ファスナー支持部材１５は、上面を開口し発生した擬音を内部で共鳴させて大きくし上方に放出されるようにした箱状の共鳴ボックスで構成し、上記ローラ１３の面ファスナー１２が当接する当接面（底面）に面ファスナー１４を配設した。
【００１６】
この共鳴ボックス１５は、左右の側面に突出した嵌合凸部１６が左右のフレーム５ａ、５ｂの内壁面に形成された嵌合凹部１７に嵌め合わされ、共鳴ボックス（面ファスナー支持部材）１５の底面に配設された面ファスナー１４が上記ローラ１３の面ファスナー１２に当接する位置に固定されている（図３（ａ）参照）。
【００１７】
そして、図３（ｂ）（ｃ）に示すように、スライド部材９の前面の押圧板９ａを後方に向かって押し操作することにより、スライド部材９の後部が左右の側面から突出した係合軸１８がガイドレール７、７にガイドされ、前部がフレーム５の開口部６にガイドされスプリング８に抗して後方にスライド移動し、押し操作を解除するとスプリング８の収縮力で図３（ｃ）の状態から図３（ａ）の状態にスライド部材９は復帰移動するようになっている。
【００１８】
なお、上記ローラ１３の軸部１１は軸受１０に上下動可能に支持されるとともに、コ字状に折り曲げられたバネ１９の先端部が係合し、ローラ１３を上方に押し上げるように付勢しているのでローラ１３の面ファスナー１２が共鳴ボックス１５の底面に貼着された面ファスナー１４に係脱しながら回転移動するようになっている。
【００１９】
面ファスナー１２、１４はフックとループで構成された公知の面ファスナーで構成されているので、スライド部材９が押されて後方に移動するときも、押し操作を解除してスプリング８の収縮力で前方に移動するときも、面ファスナー１２と面ファスナー１４とのループとフックとが係脱を繰り返しながらローラ１３が回転するので係脱音が恰も食べ物を噛み砕いているような擬音を発生することができるようになっている。
【００２０】
取込装置Ｃは、駆動ローラ２５とフリーローラ２６との２本のローラと、駆動ローラ２５を駆動する駆動機構２７とで構成されている（図２参照）。駆動ローラ２５、フリーローラ２６は支軸２９を筒状に形成された弾性部材（スポンジ）２８に挿通して接着剤などで固定し、フリーローラ２６の支軸２９の端部には歯車３０が固定され、駆動ローラ２５の支軸２９の端部にはラチェットギヤ３２が形成された歯車３１が固定されている。
【００２１】
なお、歯車３０の軸部３０ａには他端がフレーム５ｂの適宜箇所に取り付けられたスプリング２３の一端が掛けられ、歯車３０が歯車３１に常に噛み合うように付勢され、駆動ローラ２５とフリーローラ２６との間に食物玩具２を挿入したときにはスポンジ２８が圧縮されて食物玩具２を保持するとともに、歯車３０と歯車３１とは離反することなく常に噛み合った状態を維持できるようになっている。
【００２２】
駆動機構２７はスライド部材９の前後動に連動して前後に回動する回動部材３５に連動して上下動するリンク部材３６と、リンク部材３６に連係して上下に回動する扇歯車３７と、この扇歯車３７に噛み合い歯車３１のラチェットギヤ３２にラチェット爪３３が噛み合う駆動歯車３４で構成されている。
【００２３】
回動部材３５は両端が左右のフレーム５ａ、５ｂに形成された軸受（図示せず）に支持され、下方に延びた第１のアーム３５ａに形成された係合軸３８がスライド部材９に形成された係合凹部４０に係合し、スライド部材９が前後にスライド移動すると回動部材３５は前後に回動するようになっている。この回動部材３５から前方に張り出した第２のアーム３５ｂに形成された連結軸４１にはリンク部材３６の一端が連結し、リンク部材３６の他端が扇歯車３７に連結され、回動部材３５が前後に回動するとリンク部材３６を介して扇歯車３７は上下に回転するようになっている（図４（ａ）参照）。この扇歯車３７には上述した駆動歯車３４が噛み合い、スライド部材９を押し込み操作したときには、図４（ｂ）に示すように回動部材３５が反時計方向に回動し、第２のアーム３５ｂが下方に回動してリンク部材３６を引き下げる状態になるので、このリンク部材３６は扇歯車３７を下方に回動させることになり、この扇歯車３７に噛み合う駆動歯車３４は時計方向に回転することになる。
【００２４】
駆動歯車３４が時計方向に回転するとラチェット爪３３がラチェットギヤ３２に噛み合い歯車３１を時計方向に回転させ、この歯車３１に噛み合う歯車３０は反時計方向に回転するのでフリーローラ２６と駆動ローラ２５との間に差し込んだ食物玩具２は２８内方に引き込まれることになる。
【００２５】
なお、スライド部材９の押し込みを解除すると、スプリング８の収縮力で図４（ｃ）に示すようにスライド部材９は復帰移動し、回動部材３５は時計方向に回動させられて扇歯車３７を上方に回転させて駆動歯車３４を反時計方向に回転させるが、この際ラチェット爪３３はラチェットギヤ３２に噛み合わないので歯車３１、歯車３０は回転せず、食物玩具２は呑み込まれずに停止した状態になる。つまり、スライド部材９を押し込み操作したときだけ食物玩具２は引き込まれることになる。
【００２６】
噛み動作装置Ｄは、下顎部材４５と、この下顎部材４５を上記回動部材３５に連結させるリンク部材４６とで構成されている（図２参照）。上記回動部材３５には上方に伸びた第３のアーム３５ｃが形成され、この第３のアーム３５ｃの上部に形成された連結軸４７には上記リンク部材４６の一端が連結され、リンク部材４６の他端は下顎部材４５の下面から下方に突出したアーム４８の下端に連結されているので（図５（ａ）参照）、スライド部材９を押し込み操作したときには、図５（ｂ）に示すように回動部材３５が反時計方向に回動し、リンク部材４６が前方に動いて下顎部材４５のアーム４８を前方に押出すので、下顎部材４５は支軸４５ａを中心に上方に回動し、口を閉じた状態になり、食べ物を咬んでいる状態を表現することができる。
【００２７】
一方、スライド部材９の押し込みを解除すると、スプリング８の収縮力で図５（ｃ）に示すようにスライド部材９は復帰移動し、回動部材３５は時計方向に回動させられてリンク部材４６は引き戻されるので、下顎部材４５は支軸４５ａを中心に下方に回動し、口を開いた状態になる。
【００２８】
上記構成の動作玩具Ａは、図６（ａ）に示すように、食べ物玩具２を動作玩具Ａの口部１から、駆動ローラ２５とフリーローラ２６との間に押し込むように差し込んだ後、図６（ｂ）に示すように、腹部３を押し操作すると、図３（ｂ）〜図３（ｃ）に示すように、スライド部材９が後方に移動してローラ１３の面ファスナー１２が共鳴ボックス１５の面ファスナー１４に圧接した状態でローラ１３が強制的に移動させられるので、面ファスナー１２、１４のフックとループとの係脱が連続的に発生し、食べ物を噛み砕くような擬音が発生する。
【００２９】
しかも、共鳴ボックス１５の面ファスナー１４にはローラ１３の面ファスナー１２が当接しているが、面ファスナー１４と面ファスナー１２とは面同士で当接するのではなく面と線で当接しているので、面ファスナーのフックとループとの係脱が容易に行なわれスプリング８の収縮力でスライド部材９は速やかに復帰移動させることができスライド部材９の押し操作を繰り返し行なうことができる。
【００３０】
同時に、図４（ｂ）に示すように、回動部材３５が反時計方向に回動させられ、駆動ローラ２５とフリーローラ２６とが食べ物玩具２を引き込むように回転するとともに、図５（ｂ）に示すように、下顎部材４５が上方に回動し、恰も食べ物を咬んでいるような動きをする。
【００３１】
腹部３の押し操作を解除すると、スライド部材９がスプリング８の収縮力で引き戻され、図３（ａ）の状態に戻るが、戻るときも共鳴ボックス１５の面ファスナー１４にローラ１３の面ファスナー１２が圧接した状態で戻るので、面ファスナー１２、１４のフックとループとの係脱が連続的に発生し、食べ物を噛み砕くような擬音が発生する。
【００３２】
そして、スライド部材９が戻るときは、駆動ギヤ３３は逆転するがラチェット爪３３はラチェットギヤ３２に噛み合わないので駆動ローラ２５は回転せず、食べ物玩具２は引き込まれず停止した状態になる。
【００３３】
繰り返し腹部３を押し操作すると、押し操作するたびに食べ物玩具２は口部１の中に引き込まれ、最終的にはフリーローラ２６と駆動ローラ２５との間を通過して体内に収容される。
【００３４】
体内に収容された食べ物玩具２は、図６（ｃ）に示すように、背中に設けたリュック５０の蓋を開いて取り出すことができる。
【００３５】
上述したように、食べ物玩具２を動作玩具Ａの口部１に差し込み、腹部３を押し操作する度に下顎が動くとともに食べ物を噛み砕く擬音が発生し、あたかも食べ物を噛み砕いているような動作をするとともに、口部１から食物玩具２が少しずつ体内に取り込まれていくので、単に擬音が発生したり下顎が動くだけでは得られないリアル感のある動作玩具Ａを実現することができる。
【図面の簡単な説明】
【００３６】
【図１】本発明に係る動作玩具の一例を説明する斜視図
【図２】上記動作玩具の内部構成を説明する分解斜視図
【図３】（ａ）〜（ｃ）は音声発生装置の作動説図
【図４】（ａ）〜（ｃ）は取込装置の作動説明図
【図５】（ａ）〜（ｃ）は噛み動作装置の作動説明図
【図６】（ａ）〜（ｃ）は上記動作玩具の使用態様を説明する斜視図
【符号の説明】
【００３７】
１    口部
２    食物玩具
３    腹部
４    下顎
１２    面ファスナー
１３    ローラ
１４    面ファスナー
１５    面ファスナー支持部材（共鳴ボックス）
Ａ    動作玩具
Ｂ    擬音発生装置
Ｃ    取込装置
Ｄ    噛み動作装置
【図１】
2010088666.tif 000003
【図２】
2010088666.tif 000004
【図３】
2010088666.tif 000005
【図４】
2010088666.tif 000006
【図５】
2010088666.tif 000007
【図６】
2010088666.tif 000008